(57)【特許請求の範囲】
【請求項１】
底部とその周りに立設された側壁とからなるパラフィン収容部と、該収容部の上方外側に設けられたカセット支承部と、該支承部の上方外側に立設された３辺の係止壁と１辺の係止爪とを具備し、前記係止壁のうち対向する係止壁の上端から把持部が外方向に延設されており、係止壁の角部には空気抜きのための切欠部が設けられていることを特徴とする病理組織検査標本作成用の包埋トレイ。
【請求項２】
切欠部がスリット状であることを特徴とする請求項１に記載の病理組織検査標本作成用の包埋トレイ。
【請求項３】
切欠部が上側が広く下側が狭いＶカット状であることを特徴とする請求項１に記載の病理組織検査標本作成用の包埋トレイ。
【請求項４】
把持部が枠状であることを特徴とする請求項１乃至請求項３のいずれかに記載の病理組織検査標本作成用の包埋トレイ。
【請求項５】
把持部が斜め上方向に延設されていることを特徴とする請求項１乃至請求項４のいずれかに記載の病理組織検査標本作成用の包埋トレイ。
【発明の詳細な説明】
【技術分野】
【０００１】
本発明は病理組織検査標本作成用の包埋トレイに関し、更に詳しくは、パラフィン収容部内に滞留する空気を排出して、カセット本体の底面に対するパラフィンの付着性を良くし、検体が内包されたパラフィンをスライスして顕微鏡標本を作製する際にパラフィンがカセットから剥離するのを防止できる病理組織検査標本作成用の包埋トレイに関する。
【背景技術】
【０００２】
従来、この種の病理組織検査標本作成用の包埋トレイとしては、図１５に示したようなものが多用されている。この包埋トレイＴはパラフィン収容部Ｔ１と、その周縁に水平状に設けられたカセットを載置するためのカセット支承部Ｔ２と、その周縁に立設されたカセットの動きを止めるためのカセット係止壁Ｔ３と、その周縁に水平状に設けられた額縁部Ｔ４となり、更に、長手方向の額縁部Ｔ４の略中央部に水平状に横設された把持部Ｔ５とから構成されている。
【０００３】
また、近年では、方形の容器からなるパラフィン収容部とその周縁に設けられたパラフィンブロック付着体の載置部とからなり、前記載置部が少なくとも２個設けられており、サイズの異なる２種類以上のカセット等に対応できる病理組織検査標本作成用トレイが知られている（例えば、特許文献１参照）。
【０００４】
上記病理組織検査標本作成用トレイを使用して顕微鏡標本を作製するには、図１６、図１７に示すように、まず、カセット本体Ｃ１内に採取した検体Ｓを収容して蓋Ｃ２を取り付け、記録部Ｃ３に被験者名等のデーターを記録しておく。次いで、カセット本体Ｃ１の底部や蓋Ｃ２に穿設された透孔Ｃ４からホルマリンを流入させて検体Ｓを固定処理し、次いでアルコールにより検体Ｓの水分を除去し、キシレンにより後述する液状パラフィンとの親和性を付与する。
【０００５】
次に、図１８に示すとおり、検体ＳをトレイＴに移してパラフィン収容部Ｔ１に溶融パラフィンを注ぎ入れ、次いでカセット支承部Ｔ２にカセット本体Ｃ１の底部を載せ、カセット本体Ｃ１が浮き上がらないように指で押えつけて上方からパラフィンＰを注ぎ足す。次いで、パラフィンＰを冷却固化させた後、トレイＴを取り除くことにより、図１９に示したように、検体Ｓを包埋したパラフィンＰがカセット本体Ｃ１の底部に付着してなるパラフィンブロックＢを得る。その後、図示しないが、ミクロトームにカセットブロックＢをカセット本体Ｃ１の開口部が下に向くように固定された状態でパラフィンに包埋された検体Ｓをスライスして薄片を得て、これに染色等の所定の処理を施すことにより顕微鏡標本を得るのである。
【０００６】
しかしながら、上記の方法では周囲を取り囲むカセット係止壁Ｔ３のためにカセット本体Ｃ１と包埋トレイＴとの間に溶融パラフィンに含まれる空気や溶融パラフィンの注入の際に巻き込んだ空気が滞留しやすく、この滞留した空気の押し出しが不十分になり、カセット本体Ｃ１の底部に気泡Ａが付着し、この気泡Ａがカセット本体Ｃ１とパラフィンＰとの付着を妨げ、付着力を低下させる場合がある。カセット本体Ｃ１とパラフィンＰとの付着力が低下すると、検体Ｓのスライス中にパラフィンＰがカセット本体Ｃ１の底部から剥離してしまい、目的とする薄片を得ることができなくなり、貴重な検体Ｓを台無しにするという重大な結果を招くことになる。
【特許文献１】特開２００６−３００７４５号公報
【発明の開示】
【発明が解決しようとする課題】
【０００７】
本発明者らは、かかる実情に鑑み、上記問題点を解消するべく鋭意研究の結果、係止壁の角部に空気抜きのための切欠部を設ければ、パラフィン収容部内に滞留する空気を容易に排出でき、上記問題点が一挙に解消されることを見い出し、本発明を完成するに至った。
【課題を解決するための手段】
【０００８】
本発明は上記目的を達成するためになされたもので、本発明の請求項１は、底部とその周りに立設された側壁とからなるパラフィン収容部と、該収容部の上方外側に設けられたカセット支承部と、該支承部の上方外側に立設された３辺の係止壁と１辺の係止爪とを具備し、前記係止壁のうち対向する係止壁の上端から把持部が外方向に延設されており、係止壁の角部には空気抜きのための切欠部が設けられていることを特徴とする病理組織検査標本作成用の包埋トレイを内容とする。
【０００９】
本発明の請求項２は、切欠部がスリット状であることを特徴とする請求項１に記載の病理組織検査標本作成用の包埋トレイを内容とする。
【００１０】
本発明の請求項３は、切欠部が上側が広く下側が狭いＶカット状であることを特徴とする請求項１に記載の病理組織検査標本作成用の包埋トレイを内容とする。
【００１１】
本発明の請求項４は、把持部が枠状であることを特徴とする請求項１乃至請求項３のいずれかに記載の病理組織検査標本作成用の包埋トレイを内容とする。
【００１２】
本発明の請求項５は、把持部が斜め上方向に延設されていることを特徴とする請求項１乃至請求項４のいずれかに記載の病理組織検査標本作成用の包埋トレイを内容とする。
【発明の効果】
【００１３】
本発明の病理組織検査標本作成用の包埋トレイは、係止壁の角部に空気抜きのための切欠部を設けることにより、パラフィン収容部内に滞留する空気が抜け易くなるので、カセット本体の底部に気泡が付着し難くなり、カセットとパラフィンの付着性が向上し、検体のスライス中にパラフィンがカセットから剥離するといったトラブルが防止される。
【００１４】
切欠部の形状としては、スリット状や、Ｖカット状が好ましい。
【００１５】
係止爪又は係止壁の上端から把持部を横設すれば、包埋トレイを取り扱いやすくなり、作業性が向上する。この場合、把持部を内部に穴を有する枠状とすることにより、把持部によって空気の排出が殆ど妨げられることがなく、また、万一、パラフィンが上昇してきたとしても枠内の穴より容易に排出されるので好ましい。更に、把持部を斜め上方向に延設することにより、例えば、机上面や、ホットプレート面で作業する場合には、この机上面又はホットプレート面から距離が取れるので把持し易く、またホットプレートに触れ火傷をしたりする恐れも小さくなる。
【発明を実施するための最良の形態】
【００１６】
本発明の包埋トレイ１は、その代表的な一例を図１乃至図４に示したように、底部３とその周りに立設された側壁４とからなるパラフィン収容部２と、該収容部２の上方外側に設けられたカセット支承部５と、該支承部５の上方外側に立設された３辺の係止壁７と１辺の係止爪６とを具備し、前記係止壁７のうち対向する係止壁７の上端から把持部９が外方向に延設されており、係止壁の角部には空気抜きのための切欠部８が設けられていることを特徴とする。
【００１７】
本発明の包埋トレイ１は溶融パラフィンに耐える耐熱性素材から作られ、かかる素材としては、ステンレス等の金属、ポリエステル、ポリアミド、ポリカーボネート、ポリアセタール等の樹脂等が挙げられるが、熱伝導性が良好である点で金属が好ましい。
【００１８】
パラフィン収容部２は、パラフィンブロックＢの脱型を容易にするため、通常、側壁４が底部３から開口部に向かって末広がりのテーパー状の容器からなる。
【００１９】
パラフィン収容部２の上方外側には、カセット本体を載置するためのカセット支承部５が設けられる。カセット支承部５はカセット本体を安定に載置できるかぎり特に限定されないが、通常、パラフィン収容部２の周囲やコーナー部に設けられる。
【００２０】
カセット支承部５の上方外側には、カセットＣを包埋トレイ１の上に定置して、その滑動（横滑り）を防止するための係止壁７及び係止爪６が設けられるが、本発明の包埋トレイ１では、係止壁７が３辺に立設されるとともに、係止爪６が１辺に立設されている。従って、例えば、図１６、図１７に記載されているような斜面状の記録部Ｃ３を有するカセットＣの場合は、その記録部Ｃ３が係止爪６側になるように載置してパラフィンブロックを作成すると、記録部Ｃ３がパラフィンで覆われることがなく、視認性を妨げることがない。
【００２１】
係止爪６の形状、大きさ、個数は特に限定されないが、余り幅が大きくなると、その部分に冷却固化したパラフィンが盛り上がって記録部Ｃ３を覆ってしまうことがあり、また余り幅が小さいとカセット本体Ｃ１の滑動を防止する効果が小さくなるので、通常幅１〜５ｍｍ程度、好ましくは２〜５ｍｍ程度で、係止爪の幅の合計は側壁の長さの１／５程度以下、更には１／２０程度以下が好ましい。一辺当たりの係止爪６の幅の合計が側壁４の長さの１／５を超えると、空気の押し出しや余分のパラフィンの排出がしにくくなる。
【００２２】
係止爪６が設けられていない３辺には係止壁７が立設される。このため、立設された係止壁７にカセットＣの側壁を押し当てるようにして包埋トレイ１上に載置できるので、カセットＣの位置合わせが容易である。
【００２３】
係止壁７の高さはカセット支承部５の上に載置したカセット本体の滑動を防止できれば特に限定されないが、カセット本体の外壁面には付着するパラフィンを減らすために、低く（例えば２〜４ｍｍ程度）形成するほうが好ましい。
【００２４】
係止壁７も係止爪６と同様、カセット本体Ｃ１の滑動を抑えてカセット支承部５に安定に載置する機能を有する点で共通するが、カセット本体Ｃ１と包埋トレイ１の間に滞留する空気や余分なパラフィンを排出する機能が劣る点で異なる。このため、３辺に係止壁７を設ける本発明において、係止壁の角部、即ち、隣接する２辺に係止壁７が設けられている角部では、特に空気が滞留しやすい。この点、本発明では係止壁の角部に切欠部８が設けられているので、角部に滞留した空気はこの切欠部８から排出されるので、カセット本体Ｃ１の底部とパラフィンとの間の気泡もスムースに排出される。
【００２５】
切欠部８の形状は、包埋トレイ１内に滞留する空気を好適に排出できるかぎり特に限定されないが、スリット型やＶカット型が例示できる。
切欠部８の形状を上側が広く下側が狭いＶカット型とする場合、上方に行く程抵抗が小さくなるので、空気が抜けやすくなり、空気や気泡はスムーズに排出される。
【００２６】
切欠部８の大きさは、包埋トレイ１内で滞留する空気を排出できる程度であれば特に限定されないが、幅Ｌ１を通常、０．１〜４ｍｍ程度、好ましくは０．１〜２ｍｍ程度、深さを該切欠部８の下端がカセット支承部５より０．１〜２ｍｍ上方になる程度とすれば、包埋トレイ１内の空気や気泡を十分排出でき、カセット本体Ｃ１の底部への気泡の付着を抑えることができるので好ましい。
【００２７】
本発明の包埋トレイ１を扱いやすくするため係止壁７の上端から把持部９が設けられる。把持部９の形状は内側に穴のあいた枠状とすることにより、内側の穴から空気を押し出し、また余分のパラフィンを排出できるようにするのが好ましい。
把持部９は、包埋トレイ１から水平方向に延接しても良いし、斜め上方向に向けて延設することもできる。斜め上方に延接すると、例えば机上で作業する場合は机上面からの距離が取れるので把持しやすく、また、例えば包埋トレイ１をホットプレート上で使用する場合でも、把持部９とホットプレートの間の距離が大きくなるので、包埋トレイ１を把持する際にホットプレートなどに手指が触れ、火傷をする等の危険性が減少する。斜め上方向の把持部９は、例えば、パラフィン収容部２が浅い場合に特に有効である。
【００２８】
パラフィン収容部２の形状を左右非対称とすることにより、ミクロトームでスライスされた薄片の左右が明確に区別されるので、作業性が高められ、また左右誤認により検体を取り違えるといったトラブルが防止されるので、検査の信頼性が向上する。
左右非対称とする方法は特に限定されないが、例えば、パラフィン収容部２の角部のうち一箇所のアール半径を変える（大きくする）又は三角形状に切り欠く方法や、側壁４のうち一辺を波形や円弧形にするなどの方法が採用できる。
【００２９】
本発明の包埋トレイ１とともに用いるカセットは、カセット本体の底面に透孔を有するカセットであれば特に限定はないが、図１６、図１７に示したような斜面状の記録部Ｃ３を備えたカセットに対して、特に有効である。
【００３０】
また、本発明の包埋トレイ１は図１８、図１９に例示された一般的な方法で用いることができるが、溶融パラフィンの流動性を高め、空気を排出しやすくするため、予め包埋トレイ１を暖めておくか、パラフィン注入中または注入後に包埋トレイ１を一時的に適温まで加熱するのが好ましい。
【実施例】
【００３１】
以下、本発明の実施例を図面に基づいて更に詳細に説明するが、本発明はかかる実施例のみに限定されないことは云うまでもない。
【００３２】
実施例１
本実施例の包埋トレイ１は、図１乃至図４に示すように、底部３とその周りに立設された側壁４とからなり、平面視左下側（図１内の方向。本実施例において以下同じ）の角部が三角形状に切り欠かれた形状のパラフィン収容部２と、該収容部２の上方外側に設けられ、平面視左右側で広く、平面視上下側で狭いカセット支承部５と、該支承部５の上方外側に立設された３辺の係止壁７と１辺の係止爪６とを具備する。また、実施例１に係る包埋トレイ１の縦横比（把持部９を除く）は、凡そ１：１．４である。
前記係止壁７のうち対向する係止壁７の上端から枠型の、即ち、中央部に穴が設けられた把持部９が外方向且つ水平に延設されている。
係止壁の角部には、図４に示したとおり、Ｖカット状の切欠部８が空気抜きのために設けられており、その大きさは上端部における幅Ｌ１が２ｍｍ、深さが３．５ｍｍであり、カセット支承部５から切欠部８下端間での長さは０．５ｍｍである。
【００３３】
実施例２
本実施例の包埋トレイ１は、図５乃至図８に示すように、実施例１の包埋トレイ１とほぼ同様であるが、把持部９が斜め上約４５°の方向に延接されている点、係止壁の角部に設けられた切欠部８の形状がスリット状である点、及びパラフィン収容部２の形状が異なる。
本実施例における切欠部８の大きさは、幅が１ｍｍ、深さが３．５ｍｍであり、カセット支承部５から切欠部８下端間での長さは０．５ｍｍである。
【００３４】
実施例３
本実施例の包埋トレイ１は、図９乃至図１１に示すように、実施例１の包埋トレイ１とほぼ同様であるが、パラフィン収容部２、カセット支承部５の形状、及びＶカット状の切欠部８の上端部における幅Ｌ１を４ｍｍとした点で異なる。また、本実施例に係る包埋トレイ１の縦横比（把持部９を除く）は、凡そ１：３である。
【００３５】
実施例４
本実施例の包埋トレイ１は、図１２乃至図１４に示すように、実施例２の包埋トレイ１とほぼ同様であるが、パラフィン収容部２及びカセット支承部５の形状が異なる。また、本実施例に係る包埋トレイ１の縦横比（把持部９を除く）は、凡そ１：３である。
【産業上の利用可能性】
【００３６】
叙上のとおり、本発明の病理組織検査標本作成用の包埋トレイは、パラフィンブロック付着体を作成する際にカセットと包埋トレイの間に滞留する空気が排出されて冷却固化パラフィンとカセット本体との結合が強くなるため、検体をスライスする時にパラフィンがカセット本体から剥離するトラブルが防止され、病理組織検査標本を作成する作業性や検査の信頼性が大幅に高められる。
【図面の簡単な説明】
【００３７】
【図１】本発明の包埋トレイの実施例１を示す平面図である。
【図２】実施例１の正面図である。
【図３】実施例１の右側面図である。
【図４】図１における包埋トレイを矢印の方向から見た部分拡大図である。
【図５】本発明の包埋トレイの実施例２を示す平面図である。
【図６】実施例２の正面図である。
【図７】実施例２の右側面図である。
【図８】図５における包埋トレイを矢印の方向から見た部分拡大図である。
【図９】本発明の包埋トレイの実施例３を示す平面図である。
【図１０】実施例３の正面図である。
【図１１】実施例３の右側面図である。
【図１２】本発明の包埋トレイの実施例３を示す平面図である。
【図１３】実施例３の正面図である。
【図１４】実施例３の右側面図である。
【図１５】従来の包埋トレイの一例を示す斜視図である。
【図１６】カセットの一例を示す斜視図である。
【図１７】カセット内に検体を入れた状態を示す断面図である。
【図１８】顕微鏡標本の作製方法を示す説明図である。
【図１９】顕微鏡標本の作製方法を示す説明図である。
【符号の説明】
【００３８】
１  包埋トレイ
２  パラフィン収容部
３  底部
４  側壁
５  カセット支承部
６  係止爪
７  係止壁
８  切欠部
９  把持部
Ｃ  カセット
Ｃ１  本体
Ｃ２  蓋
Ｃ３  記録部
Ｃ４  透孔
Ｐ  パラフィン
Ｓ  検体
Ｔ  従来のトレイ
Ｔ１  パラフィン収容部
Ｔ２  カセット支承部
Ｔ３  カセット係止壁
Ｔ４  額縁部
Ｔ５  把持部
Ｂ  パラフィンブロック
Ａ  気泡
Ｌ１  切欠部の幅
【図１】
0005030841.tif 000002
【図２】
0005030841.tif 000003
【図３】
0005030841.tif 000004
【図４】
0005030841.tif 000005
【図５】
0005030841.tif 000006
【図６】
0005030841.tif 000007
【図７】
0005030841.tif 000008
【図８】
0005030841.tif 000009
【図９】
0005030841.tif 000010
【図１０】
0005030841.tif 000011
【図１１】
0005030841.tif 000012
【図１２】
0005030841.tif 000013
【図１３】
0005030841.tif 000014
【図１４】
0005030841.tif 000015
【図１５】
0005030841.tif 000016
【図１６】
0005030841.tif 000017
【図１７】
0005030841.tif 000018
【図１８】
0005030841.tif 000019
【図１９】
0005030841.tif 000020